(57)【要約】【課題】鼻隠の下端に近付けて取り付けても、軒樋カバーと軒先先端とを所定の位置関係に保つことができる樋吊り具を提供する。【解決手段】本発明の樋吊り具１は、吊り具本体２と、カバー支持具４とを備えている。吊り具本体２は、鼻隠６１に固定されて軒樋７を支持する。カバー支持具４は、軒樋カバー８が取り付けられる取付台４１を有しており、吊り具本体２に取り付けられる。そして、樋吊り具１は、取付台４１の高さ位置が、吊り具本体２に対して変更可能に構成されている。【選択図】図１
2015094168.tif 000002
【特許請求の範囲】
【請求項１】
鼻隠に固定されて軒樋を支持する吊り具本体と、
軒樋カバーが取り付けられる取付台を有し前記吊り具本体に取り付けられたカバー支持具と
を備えた樋吊り具であって、
前記取付台の高さ位置が前記吊り具本体に対して変更可能に構成されている
ことを特徴とする樋吊り具。
【請求項２】
前記取付台の高さ位置は、段階的に複数の高さに変更可能となっている
ことを特徴とする請求項１記載の樋吊り具。
【請求項３】
前記カバー支持具には、第一固定部と、この第一固定部よりも上方に位置する第二固定部とが設けられ、
前記吊り具本体には、前記第一固定部と前記第二固定部とのいずれかを選択的に保持可能な保持部が設けられている
ことを特徴とする請求項１または請求項２に記載の樋吊り具。
【発明の詳細な説明】
【技術分野】
【０００１】
本発明は、軒樋を取り付けるための樋吊り具に関する。
【背景技術】
【０００２】
特許文献１には、従来の樋吊り具が開示されている。この特許文献１記載の軒樋吊具は、軒下の鼻隠に取り付けられる。この軒樋吊具は、軒樋を吊る吊具本体と、吊具本体に取り付けられた雪除けカバー支持部材とを備えている。雪除けカバー支持部材には、雪除けカバーが取り付けられる。
【０００３】
雪除けカバーと軒先の先端との位置関係（特に、対向間の距離）は、所定の寸法関係に設定されている。このため、この雪避けカバーと軒先の先端との位置関係は、建物ごとにそれほど変わるものではなく、ほぼ同じ位置関係となっている。
【先行技術文献】
【特許文献】
【０００４】
【特許文献１】特開２０１１−４７１８２号公報
【発明の概要】
【発明が解決しようとする課題】
【０００５】
ところで、鼻隠に対する軒先先端の位置は、軒先の長さや屋根勾配等に応じて変化する。軒樋吊具は、軒先先端の位置に基づいて鼻隠に取り付けられるため、建物によっては、鼻隠の上下方向の中間部分に取り付けられることが多い。しかしながら、この場合、鼻隠の下端に近付けて軒樋吊具が取り付けられていないため、見栄えが悪いという問題がある。
【０００６】
一方、見栄えを優先して、鼻隠の下端に近付けて軒樋吊具を取り付けると、雪除けカバーと軒先の先端との距離が大きくなってしまい、所定の位置関係を保つことができずに好ましくない。
【０００７】
本発明は、上記事情に鑑みてなされたものであり、その目的とするところは、鼻隠の下端に近付けて取り付けても、軒樋カバーと軒先先端とを所定の位置関係に保つことができる樋吊り具を提供することにある。
【課題を解決するための手段】
【０００８】
本発明の樋吊り具は、鼻隠に固定されて軒樋を支持する吊り具本体と、軒樋カバーが取り付けられる取付台を有し前記吊り具本体に取り付けられたカバー支持具とを備えた樋吊り具であって、前記取付台の高さ位置が前記吊り具本体に対して変更可能に構成されていることを特徴とする。
【０００９】
また、この樋吊り具において、前記取付台の高さ位置は、段階的に複数の高さに変更可能となっていることが好ましい。
【００１０】
また、この樋吊り具において、前記カバー支持具には、第一固定部と、この第一固定部よりも上方に位置する第二固定部とが設けられ、
前記吊り具本体には、前記第一固定部と前記第二固定部とのいずれかを選択的に保持可能な保持部が設けられていることが好ましい。
【発明の効果】
【００１１】
本発明の樋吊り具によれば、軒樋カバーを取り付けるための取付台の高さ位置を変更することができるため、鼻隠の下端に近付けて取り付けても、軒樋カバーと軒先先端とを所定の位置関係に保つことができる。
【図面の簡単な説明】
【００１２】
【図１】本実施形態の樋吊り具の側断面図であり、吊り具本体の保持部に第一固定部を取り付けた状態を示している。
【図２】本実施形態の樋吊り具の側断面図であり、吊り具本体の保持部に第二固定部を取り付けた状態を示している。
【図３】本実施形態の吊り具本体の斜視図である。
【図４】本実施形態の吊り具本体の保持部とカバー支持具の第二固定部との接続部分の要部断面図である。
【図５】本実施形態のカバー支持具の斜視図である。
【発明を実施するための形態】
【００１３】
以下、本発明の実施形態について添付図面に基づいて説明する。
【００１４】
本実施形態の樋吊り具１は、図１に示すように、軒下の鼻隠６１に取り付けられて軒樋７を支持するものである。樋吊り具１は、軒樋７が取り付けられる吊り具本体２と、軒樋カバー８を支持するカバー支持具４とを備えている。
【００１５】
鼻隠６１は、屋根面６２に直交した横板である。鼻隠６１の幅方向は、下方に向かうほど建物側（屋内側）に位置するように傾斜しているが、鉛直方向と平行となっていてもよく、特に限定されない。
【００１６】
軒樋７は、軒先に取り付けられる角樋である。軒樋７は、例えば、ガルバリウム鋼板などの鋼板や、合成樹脂などにより構成される。なお、軒樋７は、鋼板や合成樹脂に限らず、合成樹脂に金属板をインサート成形したものであってもよい。また、軒樋７は断面半円状の丸樋であってもよい。
【００１７】
軒樋７は、左右方向（軒方向）に長さを有している。また、軒樋７は、後壁７１と、後壁７１の下端から前方に向かって延出した底壁７２と、底壁７２の前端から上方に向かって延出した前壁７３とを備えている。前壁７３は、上方に向かうほど前方に位置するように傾斜している。後壁７１と底壁７２と前壁７３とは、一体に成形されている。後壁７１の上端には、後耳部７４が設けられている。また、前壁７３の上端には、前耳部７５が設けられている。前耳部７５および後耳部７４は、樋吊り具１に保持される。
【００１８】
吊り具本体２は、軒樋７を上方から支持する。吊り具本体２は、鼻隠６１の前面に固定され、これにより鼻隠６１に取り付けられる。吊り具本体２は、本体部２１と、耳係止部３１と、内面支持部３６とを備えている。本体部２１と耳係止部３１と内面支持部３６とは、例えば、合成樹脂により一体成形されている。なお、吊り具本体２は、例えば、金属製であってもよく、合成樹脂により形成されたものに限定されない。
【００１９】
本体部２１は、図３に示すように、鼻隠６１に取り付けるための取付部２２と、取付部２２から前方に突出した吊部２４と、吊部２４の上面に設けられた保持部２５とを備えている。
【００２０】
取付部２２は、鼻隠６１の前面に固定される。取付部２２は、上下方向に幅を有し、左右方向に長さを有している。取付部２２の長さ方向の両端部には、固着具挿通孔２３が設けられている。取付部２２は、固着具挿通孔２３に固着具を通した上で、当該固着具を鼻隠６１に打ち込むことで、鼻隠６１に固定される。
【００２１】
吊部２４は、取付部２２から前方に向かって突出している。吊部２４は、前後方向に長さを有し、左右方向に幅を有している。吊部２４は、長さ方向の中間に、凹状に屈曲した凹所３７を有している。吊部２４の凹所３７の底面（吊部２４の上面）には保持部２５が設けられている。
【００２２】
保持部２５は、カバー支持具４を取り付けるために設けられる。保持部２５は、凹所３７の底面に一体成形された平板状の設置部２６と、設置部２６の上面から上方に向かって突出した第一係止部２７および第二係止部２９とを備えている。
【００２３】
設置部２６は、左右方向に幅を有し、前後方向に長さを有している。設置部２６の幅方向の寸法は、吊部２４の幅寸法よりも大きく形成されている。設置部２６の上面は平坦面となっている。設置部２６は、カバー支持具４を安定的に支持する。
【００２４】
第一係止部２７は、設置部２６の前側に設けられている。第一係止部２７は、左右方向に離間して設けられており、且つ前後方向に並んで設けられている（本実施形態では計４箇所に設けられている）。第一係止部２７は、図４に示すように、突出先端に爪２８を有している。爪２８は、先端に向かうほど先細り形状をしている。爪２８の先端は、後方に臨んでいる。
【００２５】
第二係止部２９は、設置部２６の後側に設けられている。第二係止部２９は、第一係止部２７と同様に、左右方向に離間して設けられており、且つ前後方向に並んで設けられている（本実施形態では計４箇所に設けられている）。第二係止部２９は、突出先端に爪３０を有している。爪３０は、先端に向かうほど先細り形状をしている。第二係止部２９の爪３０の先端は、第一係止部２７の爪２８の先端に対向しており、すなわち、前方に臨んでいる。第二係止部２９の爪３０の前後方向の長さＬ２は、第一係止部２７の爪２８の前後方向の長さＬ１よりも長く形成されている。
【００２６】
また、第二係止部２９の突出高さは、第一係止部２７の突出高さよりも低く形成されている。また、第二係止部２９の後方側の上角部には面取りが施されている。本実施形態の第二係止部２９の後方側の上角部は、Ｒ面取りとなっており、つまり曲面を形成する。
【００２７】
また、吊り具本体２には、図３に示すように、軒樋７を保持・固定するための耳係止部３１が設けられる。耳係止部３１は、軒樋７の前耳部７５と後耳部７４とを保持し、これにより軒樋７を吊持する。本実施形態の吊り具本体２は、耳係止部３１として、前係止部３２と、後係止部３３とを備えている。
【００２８】
前係止部３２は、吊部２４の長さ方向の前側の端部（すなわち、吊部２４の先端）に設けられている。前係止部３２は前耳部７５を固定する。前係止部３２は、吊部２４の先端から上方に向かって突出している。後係止部３３は、取付部２２に設けられている。後係止部３３は後耳部７４を支持する。後係止部３３は、取付部２２の下端に設けられている。後係止部３３は、取付部２２の下端から下方に向かって突出した舌片３４と、舌片３４からＬ字状に突出した引掛け突部３５とを備えている。
【００２９】
また、吊り具本体２には、軒樋７の後壁７１内面を支持する内面支持部３６が設けられている。内面支持部３６は、吊部２４の後方側の端部から下方に向かって突出している。内面支持部３６は、前係止部３２と後係止部３３とに軒樋７が支持されると、軒樋７の後壁７１の内面に当接または近接対向するように構成されている（この軒樋７内面に当接または近接対向する面を当接面という）。内面支持部３６は、傾斜した鼻隠６１に吊り具本体２が固定され、当該吊り具本体２に軒樋７が取り付けられると、図１に示すように、軒樋７の後壁７１の内面を支持する。
【００３０】
このような構成の吊り具本体２には、カバー支持具４が取り付けられる。カバー支持具４には、後述の軒樋カバー８が取り付けられる。カバー支持具４は、図５に示すように、取付台４１と、固定部４４とを備えている。
【００３１】
取付台４１には、軒樋カバー８が取り付けられる。取付台４１は、前後方向に長さを有し、左右方向に幅を有している。取付台４１は、平面状の載置部４２と、載置部４２の長さ方向の両端に設けられた嵌込部４３とを備えている。載置部４２は、平面視矩形状に形成されている。載置部４２は、軒樋カバー８が載せられるように構成されており、これにより、軒樋カバー８を支持する。嵌込部４３は、載置部４２の長さ方向の両端からそれぞれ斜め下方に向かって延出している。
【００３２】
固定部４４は、取付台４１の下方に設けられている。固定部４４は、取付台４１を吊り具本体２に固定するために設けられる。固定部４４は、第一固定部４５と、第二固定部５０と、連結部５１とを備えている。取付台４１，第一固定部４５，第二固定部５０，および連結部５１は、樹脂により一体成形される。
【００３３】
第一固定部４５は、固定部４４の下端部に設けられている。第一固定部４５は、左右方向に離れて配置された一対の取付片４６を備えている。各取付片４６は、前後方向に長さを有し、左右方向に幅を有している。各取付片４６は、設置部２６に載置される。各取付片４６には、長さ方向に並んだ複数の取付孔４７が設けられている。
【００３４】
取付孔４７は、図４に示すように、第一係止部２７に係止される第一孔４８と、第二係止部２９に係止される第二孔４９とを備えている。第一孔４８は、各取付片４６において、前後方向の前側に２箇所設けられており、言い換えると、前後方向の前側の端部に設けられている。第一孔４８は、平面視矩形状の貫通孔である。各第一孔４８の下方側の開口は、後側に拡がっている。
【００３５】
第二孔４９は、各取付片４６において、前後方向の後側に２箇所設けられており、言い換えると、前後方向の後側の端部に設けられている。第二孔４９は、平面視矩形状の貫通孔である。各第二孔４９の上方側の開口は、前側に拡がっている。
【００３６】
第二固定部５０は、図５に示すように、第一固定部４５よりも上方に設けられている。また、第二固定部５０は、第一固定部４５とは離れている。第二固定部５０は、第一固定部４５と同様、一対の取付片４６を備えている。なお、第二固定部５０の取付片４６の構造は、第一固定部４５の取付片４６と同じであるため、説明を省略する。
【００３７】
連結部５１は、第一固定部４５の取付片４６と第二固定部５０の取付片４６とを連結する。また、第二固定部５０の取付片４６と取付台４１とを連結する。連結部５１は、第一固定部４５の取付片４６の左右方向の間隔を保ったまま、第一固定部４５の取付片４６を第二固定部５０の取付片４６に連結する。さらに、連結部５１は、第二固定部５０の取付片４６の左右方向の間隔を保ったまま、第二固定部５０の取付片４６を取付台４１に連結する。
【００３８】
カバー支持具４は、吊り具本体２に次のようにして取り付けられる。以下、カバー支持具４の第二固定部５０を吊り具本体２の支持具固定台に取り付ける場合（図２参照）につき説明する。
【００３９】
施工者は、カバー支持具４の第二固定部５０の第一孔４８の内周縁を第一係止部２７に当てた状態で、後側を下方に向かって回転させる。すると、第二固定部５０の第一孔４８に第一係止部２７が入り込み、第二孔４９に第二係止部２９が入り込む。このとき、第二係止部２９は、後方側の上角部に面取りが施されており、また、第一係止部２７よりも突出高さが低いため、第二孔４９にスムーズに入り込む。
【００４０】
このように、カバー支持具４は、第二係止部２９の上角部に面取りが施されているため、第一孔４８と第一係止部２７との接点を支点として回転して装着することで、第二孔４９を第二係止部２９にスムーズに係止させることができる。また、カバー支持具４は、第一孔４８と第一係止部２７との接点を支点として回転して装着可能であるため、第二係止部２９の爪３０を前方に向かって長くすることも可能である。この結果、カバー支持具４を上方から下方に向かって装着する場合よりも、第二係止部２９の爪３０を長くすることができる。従って、本実施形態の樋吊り具１によれば、雪などの荷重により、カバー支持具４の前側に外力が掛かっても、第二係止部２９と第二孔４９との連結状態が強いため、カバー支持具４が外れるのを防止できる。
【００４１】
本実施形態の樋吊り具１は、次のように取り付け施工される。施工者は、鼻隠６１に左右方向に沿って一定の間隔で吊り具本体２を複数箇所に固定する。次いで、施工者は、上述のようにして、固定された吊り具本体２にカバー支持具４を取り付ける。なお、カバー支持具４を吊り具本体２に取り付けた上で、この樋吊り具１を鼻隠６１に固定してもよい。
【００４２】
鼻隠６１に取り付けられた樋吊り具１には、軒樋７および軒樋カバー８が取り付けられる。施工者は、左右方向に並ぶ複数の樋吊り具１に架け渡すようにして軒樋７を取り付ける。次いで施工者は、左右方向に並ぶ複数の樋吊り具１のカバー支持具４に架け渡すようにして、軒樋カバー８を取り付ける。
【００４３】
軒樋カバー８は、軒樋７の上方に配置される。軒樋カバー８は、軒樋７の長さ方向と平行な方向に長さを有し、前後方向に幅を有している。軒樋カバー８の長さは、軒樋７の長さと略同じ長さに形成されている。軒樋カバー８の幅方向の両端には、取付台４１の嵌込部４３が嵌め込まれる取着部８１が設けられている。軒樋カバー８は、例えば、導水板や、雪避けカバーや、落ち葉避けカバーなどにより構成される。なお、本実施形態の軒樋カバー８は導水板であるが、導水板のみに限定されない。
【００４４】
施工者は、軒樋カバー８の取着部８１を、カバー支持具４の嵌込部４３に嵌め込む。これにより、軒樋カバー８は、複数のカバー支持具４によって支持される。
【００４５】
ところで、居住者によっては、外観を重視して、鼻隠６１の下端に近付けて樋吊り具１を取り付けることを望む場合がある。この場合、吊り具本体２と軒先先端との距離が大きくなってしまう。そこで、本実施形態の樋吊り具１は、取付台４１の高さ位置が、吊り具本体２に対して変更可能に構成されている。
【００４６】
すなわち、本実施形態のカバー支持具４は、吊り具本体２の保持部２５に対し、第一固定部４５と第二固定部５０とのいずれかを選択的に保持させることができる。従って、鼻隠６１の下端に近付けて樋吊り具１を取り付ける場合には、第一固定部４５を選択することで、軒先先端と軒樋カバー８とを所定の位置関係に保つことができる（図１参照）。
【００４７】
なお、第一固定部４５を吊り具本体２の保持部２５に取り付ける方法は、第二固定部５０の場合と同じである。
【００４８】
以上、説明したように、本実施形態の樋吊り具１は、吊り具本体２と、カバー支持具４とを備えている。吊り具本体２は、鼻隠６１に固定され、軒樋７を支持する。カバー支持具４は、軒樋カバー８が取り付けられる取付台４１を有しており、吊り具本体２に取り付けられる。そして、取付台４１の高さ位置は、吊り具本体２に対して変更可能に構成されている。
【００４９】
このように、本実施形態の樋吊り具１によれば、吊り具本体２が鼻隠６１の下端に近接させた状態で取り付けられた場合であっても、軒樋カバー８と軒先先端とを一定の位置関係に保つことができる。
【００５０】
また、本実施形態の取付台４１の高さ位置は、段階的に複数の高さに変更可能となっている。
【００５１】
このため、本実施形態の樋吊り具１によれば、施工者は施工時において微調整が不要であり、取付施工が容易となる。
【００５２】
また、本実施形態のカバー支持具４には、第一固定部４５と、この第一固定部４５よりも上方に位置する第二固定部５０とが設けられている。吊り具本体２には、第一固定部４５と第二固定部５０とのいずれかを選択的に保持可能な保持部２５が設けられている。
【００５３】
このため、本実施形態の樋吊り具１によれば、少なくとも、取付台の高さを第一固定部４５と第二固定部５０との高さ位置に変更が可能であり、施工者は施工時において微調整が不要であり、取付施工が容易となる。
【００５４】
なお、本実施形態の樋吊り具１は、カバー支持具４に複数の固定部４４が設けられていたが、本発明においては、吊り具本体２に高さ位置の異なる複数の保持部２５が設けられ、且つカバー支持具４に１つの固定部４４が設けられたものであってもよい。また、固定部４４は、上下２つでなくてもよく、３つ以上設けられたものであってもよい。
【符号の説明】
【００５５】
１      樋吊り具
２      吊り具本体
２１    本体部
２２    取付部
２４    吊部
２５    保持部
３１    耳係止部
３２    前係止部
３３    後係止部
３６    内面支持部
４      カバー支持具
４１    取付台
４４    固定部
４５    第一固定部
４６    取付片
４７    取付孔
４８    第一孔
４９    第二孔
５０    第二固定部
５１    連結部
６１    鼻隠
７      軒樋
８      軒樋カバー
【図１】
2015094168.tif 000003
【図２】
2015094168.tif 000004
【図３】
2015094168.tif 000005
【図４】
2015094168.tif 000006
【図５】
2015094168.tif 000007